(57)【要約】【課題】本発明は、引出しとアーム・サポート・ボードと連結する書き物机に関する。それは、主に事務室と家庭用書き物机に適用することを目的としている。【解決手段】このため、机のパネルの下にプッシュプル可能な大きな引出しを設置し、大きな引出しの引出しパネル内面の頂部にその長辺の側面と蝶番で連結されるアーム・サポート・ボードを設置して、または机のパネルの下の左、右側にそれぞれプッシュプル可能な小さな引出しを設置し、左、右にある小さな引出しの向こうの引出しの側板の内面の頂部にそれぞれ内凹状アーク形辺が向き合い、蝶番で連結される左アーム・サポート・ボードと右アーム・サポート・ボードを設置する。【選択図】図１
2009540883.tif 000002
【特許請求の範囲】
【請求項１】
大きな引出しの引出しパネルの内面の頂部にその長辺の側面と蝶番で連結されるアーム・サポート・ボードを設置し、当該アーム・サポート・ボードは、上に反転し引出しパネルの頂部に支えられて、しかも当該アーム・サポート・ボードの上表面は机のパネルと同じ高さである引出しとアーム・サポート・ボードと連結し、机のパネルの下にプッシュプル可能な大きな引出しを設置することを特徴とする引出しとアーム・サポート・ボードと連結する書き物机。
【請求項２】
左、右にある小さな引出しの向こうの引出しの側板の内面の頂部にそれぞれ内凹状アーク形辺に向き合い、蝶番で連結される左のアーム・サポート・ボードと右のアーム・サポート・ボードを設置し、当該左のアーム・サポート・ボードと右のアーム・サポート・ボードはそれぞれに上に反転し、対応の引出しの側板の頂部を支え、しかも当該左、右アーム・サポート・ボードの上表面は上記の机のパネルと同じ高さである引出しとアーム・サポート・ボードと連結し、机のパネルの下に左、右側にプッシュプル可能な小さな引出しをそれぞれ設置することを特徴とする引出しとアーム・サポート・ボードと連結する書き物机。
【請求項３】
上記のアーム・サポート・ボードの上表面は、取外す可連結部品で一つのアーム・サポート・ボードと形が同じである可動敷板を連結して、または可動敷板の上表面は上記の机のパネルと同じ高さであることを特徴とする請求項１記載の引出しとアーム・サポート・ボードと連結する書き物机。
【請求項４】
上記の引出しパネルの頂部は先端が下に傾斜する斜め頂面で、しかも上記のアーム・サポート・ボードの裏面の滑りレールに一つの楔形ブロックを設置することを特徴とする請求項１記載の引出しとアーム・サポート・ボードと連結する書き物机。
【請求項５】
上記の大きな引出しの引出しパネル内面の頂部は、１８０°反転可能な蝶番でアーム・サポート・ボードの長辺の側面を連結することを特徴とする請求項１記載の引出しとアーム・サポート・ボードと連結する書き物机。
【請求項６】
上記のアーム・サポート・ボードは、左半分のアーム・サポート・ボードと右半分のアーム・サポート・ボードをそれぞれ分けられ、当該アーム・サポート・ボードの長辺も二本に分けられて、しかも引出しパネルとともに溝を形成することを特徴とする請求項１記載の引出しとアーム・サポート・ボードと連結する書き物机。
【請求項７】
上記のアーム・サポート・ボードの長辺にあるパネルは、同じ長さの横目板と連結することを特徴とする請求項１記載の引出しとアーム・サポート・ボードと連結する書き物机。
【請求項８】
上記の二本の長辺にあるパネルは、同じ長さの一本の横目板とそれぞれ連結することを特徴とする請求項６記載の引出しとアーム・サポート・ボードと連結する書き物机。
【請求項９】
上記の大きな引出しの２枚の引出し側板の中に一つのキーボードパレットを設置することを特徴とする請求項１記載の引出しとアーム・サポート・ボードと連結する書き物机。
【請求項１０】
上記の大きな引出しは１種類のプッシュプル板であることを特徴とする請求項１記載の引出しとアーム・サポート・ボードと連結する書き物机。
【請求項１１】
上記の左アーム・サポート・ボードパネルの左側面と右アーム・サポート・ボード板の右側面は、すべて直立側面であることを特徴とする請求項２記載の引出しとアーム・サポート・ボードと連結する書き物机。
【請求項１２】
上記の左、右にある小さな引出しの向こうの引出し側板の内面の頂部は１８０°反転可能な蝶番でそれぞれ左、右のアーム・サポート・ボードを連結する直立側面であることを特徴とする請求項２記載の引出しとアーム・サポート・ボードと連結する書き物机。
【請求項１３】
上記の左、右のアーム・サポート・ボードの直立側面にあるパネルはそれぞれ一枚の縦目板と連結することを特徴とする請求項１１記載の引出しとアーム・サポート・ボードと連結する書き物机。
【発明の詳細な説明】
【技術分野】
【０００１】
本発明は、引出しとアーム・サポート・ボードと連結する書き物机に関する。
それは、主に事務室と家庭用書き物机に適用する。
【背景技術】
【０００２】
周知のように、長い間、机に付き働く人は、一方では、両肘と前腕が矩形の机のパネルに支え、読んだり、書いたりして、前に傾く姿になる傾向があり、もう一方では、肘をぶら下げて、パソコンキーボードとマウスを操作して、肩・背部、手腕、手腕の肌肉がつねに緊張状態であるので、五十肩、頸椎病等にかかり易い。
【０００３】
【特許文献１】中国特許ＺＬ８９２１８８２５．１
【特許文献２】中国特許ＺＬ９２２００１５５．３
【特許文献３】中国特許ＺＬ９７２２８１９９．１
【特許文献４】中国特許ＺＬ９９２１３７９８．５
【特許文献５】中国特許ＺＬ０３２３９６３９．２
【発明の開示】
【発明が解決しようとする課題】
【０００４】
ここ数年、机の人に近い側の机のパネル側にアーム・サポート・ボードを延出させる構造が挙げられているが、アーム・サポート・ボードは従来の矩形の机のパネルの真ん中に人の腰よりやや幅広い内凹状アーク形切れ目を設けて、そこで、内凹状の両側は外へ隆起する。
使用者は、机のパネルで作業するとき、上半身が机の側の溝に入り、両肘と前腕が両側のアーム・サポート・ボードの上に支えられる。
アーム・サポート・ボードは、使用者の座り姿を正し、疲れを軽減し、快適さを感じさせ、健康に役立つものである。
中国特許のＺＬ８９２１８８２５．１，ＺＬ９２２００１５５．３，ＺＬ９７２２８１９９．１は、固定式アーム・サポート・ボードを採用したが、それは、構造も簡単で、信頼できるが、但し、机のパネルの必要なスペースが大きくなり、使用者の出入りが不便となる。
中国特許ＺＬ９９２１３７９８．５，ＺＬ０３２３９６３９．２は、下反転折り畳み式アーム・サポート・ボードを採用したが、机のパネルの必要なスペースを減らし、使用者の出入りが便利となったが、但し、アーム・サポート・ボードは反転するとき、机のパネルの下のスペースを占用するので、引出し、タンス、パソコンカードケージの設置等、机のパネルの下のスペースの利用が制限されて、また、アーム・サポート・ボードはアーム・サポート・ボードの支持を確保するために、支持構造を増設する必要がある。
また、パソコンキーボードは机のパネルより高いので、腕を上に上げなければ、キーボードを操作できない。
使用者は、簡便に一台の机の上で、両肘と前腕がアーム・サポート・ボードの上に支えられ、パソコンキーボードを操作し、書類を読んだり、書いたりすることができない。
【０００５】
本発明は従来の書き物机を改良し、引出しとアーム・サポート・ボードと連結する書き物机を提供することを目的とする。
【課題を解決するための手段】
【０００６】
そこで、この発明は、上述不都合を除去するために、大きな引出しの引出しパネルの内面の頂部にその長辺の側面と蝶番で連結されるアーム・サポート・ボードを設置し、当該アーム・サポート・ボードは、上に反転し引出しパネルの頂部に支えられて、しかも当該アーム・サポート・ボードの上表面は机のパネルと同じ高さである引出しとアーム・サポート・ボードと連結し、机のパネルの下にプッシュプル可能な大きな引出しを設置することを特徴とする。
また、左、右にある小さな引出しの向こうの引出しの側板の内面の頂部にそれぞれ内凹状アーク形辺に向き合い、蝶番で連結される左のアーム・サポート・ボードと右のアーム・サポート・ボードを設置し、当該左のアーム・サポート・ボードと右のアーム・サポート・ボードはそれぞれに上に反転し、対応の引出しの側板の頂部を支え、しかも当該左、右アーム・サポート・ボードの上表面は上記の机のパネルと同じ高さである引出しとアーム・サポート・ボードと連結し、机のパネルの下に左、右側にプッシュプル可能な小さな引出しをそれぞれ設置することを特徴とする。
【発明の効果】
【０００７】
本発明によれば、アーム・サポート・ボードを蝶番で書き物机の大きな引出しの引出しパネル内面の頂部に連結して、または左、右のアーム・サポート・ボードを蝶番で書き物机の左、右の小さな引出しの向こうの引出し側板の内面の頂部に連結して、また上に１８０°反転し、引出しパネルまたは引出し側板の上にぶら下がるように支えられ、大きな引出しまたは二つの小さな引出しは、書き物机のパネルの下でプッシュプル可能な機能を利用し、大きな引出しまたは二つの小さな引出しを引いてから、アーム・サポート・ボードを使用状態または隠し状態に反転させることができる。
そして、アーム・サポート・ボードの上表面と連結する可動敷板を利用し、両肘と前腕をアーム・サポート・ボードの上または可動敷板の上に支えられ、簡便に書類を読み、書くだけではなく、書き物机の上でのキーボードとマウスを操作することもできる。
しかも、当該アーム・サポート・ボードを前に傾斜させて、さらに当該アーム・サポート・ボードの上の可動楔形敷板を当該アーム・サポート・ボードと引出しパネルの斜め頂面の間に挿し、当該アーム・サポート・ボードを平らな状態に戻す。
また引出しをプッシュプル板に交換し、当該プッシュプル板の上にも蝶番でアーム・サポート・ボードを連結することができる。
【発明を実施するための最良の形態】
【０００８】
本発明の技術ポイント：
大きな引出しの引出しパネルの内面の頂部にその長辺の側面と蝶番で連結されるアーム・サポート・ボードを設置し、当該アーム・サポート・ボードは上に反転し引出しパネルの頂部を支えられて、しかも当該アーム・サポート・ボードの上表面は上記の机のパネルと同じ高さである引出しとアーム・サポート・ボードと連結し、机のパネルの下にプッシュプル可能な大きな引出しを設置する書き物机。
左、右にある小さな引出しの向こうの引出しの側板の内面の頂部にそれぞれ内凹状アーク形辺に向き合い、蝶番で連結される左のアーム・サポート・ボードと右のアーム・サポート・ボードを設置し、当該左のアーム・サポート・ボードと右のアーム・サポート・ボードはそれぞれに上に反転し、対応の引出しの側板の頂部を支えて、しかも当該左、右アーム・サポート・ボードの上表面は上記の机のパネルと同じ高さである引出しとアーム・サポート・ボードと連結し、机のパネルの下に左、右側にプッシュプル可能な小さな引出しをそれぞれ設置する書き物机。
上記のアーム・サポート・ボードの上表面は、取外す可能な連結部品で一つのアーム・サポート・ボードと形が同じである可動敷板を連結して、または可動敷板の上表面は上記の机のパネルと同じ高さである。
上記の引出しパネルの頂部は先端が下に傾斜する斜め頂面で、しかも上記のアーム・サポート・ボードの裏面の滑りレールに一つの楔形ブロックを設置する。
上記の大きな引出しの引出しパネル内面の頂部は、１８０°反転可能な蝶番でアーム・サポート・ボードの長辺にある側面を連結することができる。
上記のアーム・サポート・ボードは、左半分のアーム・サポート・ボードと右半分のアーム・サポート・ボードをそれぞれ分けられ、当該アーム・サポート・ボードの長辺も二本に分けられて、しかも引出しパネルとともに溝を形成する。
上記のアーム・サポート・ボードの長辺にあるパネルは、同じ長さの横目板と連結する。
上記の二本の長辺にあるパネルは、同じ長さの一本の横目板とそれぞれ連結する。
上記の大きな引出しの２枚の引出し側板の中に一つのキーボードパレットを設置する。
上記の大きな引出しは１種類のプッシュプル板である。
上記の左アーム・サポート・ボードパネルの左側面と右アーム・サポート・ボード板の右側面は、すべて直立側面である。
上記の左、右にある小さな引出しの向こうの引出し側板の内面の頂部は１８０°反転可能な蝶番でそれぞれ左、右のアーム・サポート・ボードを連結する直立側面である。
上記の左、右のアーム・サポート・ボードの直立側面にあるパネルはそれぞれ一枚の縦目板と連結する。
【０００９】
本発明では、アーム・サポート・ボードの反転は引出しの下のスペースを占用しないとともに、使用者は、一台の机で両肘と前腕がアーム・サポート・ボードの上または可動敷板の上に支えられ、簡便にパソコンキーボードを操作したり、書類を閲覧したり、書いたりすることができる。
しかも、必要に応じて、アーム・サポート・ボードを平らな机のパネルと傾斜の机のパネルに合わせさせることができる。
しかも、その構造も簡単で、操作も便利である。
【実施例１】
【００１０】
本発明の第一実施例：
一つの大きな引出し１、一つの支持フレーム２、一枚の机のパネル３と一枚のアーム・サポート・ボード４から構成される。
図１〜３に示すようである。
【００１１】
その内、大きな引出し１は支持フレーム２に支持される机のパネル３の下にあり、座る使用者に向かい合い、しかも、当該大きな引出し１は机のパネル３の下に設置される縦レールの上（図で表示されない）に位置するので、向こうの座る使用者に前後に推し、引くことができる。
大きな引出し１は一枚の引出しパネル１１、２枚の引出し側板１２、一枚の引出し裏板１３と一枚の引出し底板１４から構成されるため、使用者が仕事するとき、簡便に書類、道具などを保管し、取り出すことができる。
上記はすべて従来の技術である。
【００１２】
アーム・サポート・ボード４はパネルの左、右の側辺は直立側辺で、前辺は分けられる二つの短い横辺、後ろの辺は一つの長辺、真ん中部分は内凹状アーク形辺から構成されて、しかも、当該アーム・サポート・ボード４は長辺の側面が蝶番（普通な蝶番、平らな蝶番、曲り蝶番）で  大きな引出し１の引出しパネル１１内面の頂部に連結される。
使用者が仕事しないとき、当該アーム・サポート・ボード４は大きな引出し１の中に格納され、その上のパネルは引出しパネル１１の上表面と同じ高さで、この場合、蝶番の二つの羽は合わせる（即ち、その開先角度は約０°）。
使用者が仕事するとき、まず、大きな引出し１を引き、アーム・サポート・ボードを開き、即ち、アーム・サポート・ボード４を蝶番のピントルを回し上に１８０°反転する。
この場合、アーム・サポート・ボード４の一つのパネルは引出しパネル１１の頂面に接し、それを支持し、蝶番の二つの羽はすべて開かれる（即ち、その開先角度は約１８０°）。
それから、アーム・サポート・ボードを机のパネルに合わせるまで、大きな引出し１を机のパネル３の下に押し込むようにする。
この場合、アーム・サポート・ボードは、机のパネルと同じ高さ、または机のパネルよりちょっと高い。アーム・サポート・ボードの動作位置での安定性を保持し、アーム・サポート・ボードと机のパネルと離れないように、アーム・サポート・ボード、大きな引出し、書き物机の間に、プラグ、位置決めフック、マグネットキャッチ、レールでのさら出等の位置決め装置を取り付けることができる。
使用者は、両肘と前腕がアーム・サポート・ボード４の上に支えられ、それによる圧力と反転力モーメントは蝶番と引出しパネル１１の頂面に受けられるため、支持が安定で、信頼できる。
使用者が仕事をやめるとき、アーム・サポート・ボード４を上記と反対方向へ１８０°反転し、それを大きな引出し１に入るようにして、大きな引出し１を机のパネル３の下に押し込む。
こうして、アーム・サポート・ボード４の反転は大きな引出し１の下のスペースを占用しない。
【実施例２】
【００１３】
本発明第二実施例：
アーム・サポート・ボード４を長辺から左、右に分けられ、適当に真ん中部分を切断し、左半分アーム・サポート・ボードと右半分アーム・サポート・ボードをそれぞれ一枚にして、それらのアーク形辺と引出しパネル１１とともに溝を形成し、図４、５に示すようで、その他の構造は第一実施例と同じで、ここで、説明を省略する。
【実施例３】
【００１４】
本発明第三実施例：
アーム・サポート・ボード４の長辺のパネルの上に同じ長さの目板５と連結し、当該目板５の厚さで机のパネル３とアーム・サポート・ボード４との高さを調節する。
図６、７に示すように、机のパネル３をアーム・サポート・ボード４と適当な高度差を形成することによって、使用者の腕を楽にさせる。
その他の構造は第一実施例と同じで、ここで、説明を省略する。
【実施例４】
【００１５】
本発明第四実施例：
アーム・サポート・ボード４を左、右に分けられ、適当に真ん中部分を切断し、左半分アーム・サポート・ボードと右半分アーム・サポート・ボードをそれぞれ一枚にして、この場合、当該アーム・サポート・ボード４の一本の長辺も二本に分けられ、当該二本の長辺のところのパネルはそれぞれ同じ長さの目板５と連結し、図８、９に示すように、当該目板５の厚さで机のパネル３とアーム・サポート・ボード４との高さを調節し、机のパネル３をアーム・サポート・ボード４と適当な高度差を形成することによって、使用者の腕を楽にさせる。
その他の構造は第一実施例と同じで、ここで、説明を省略する。
【実施例５】
【００１６】
本発明第五実施例：
大きな引出し１の２枚の引出し側板１２内面の上に平行の一対のレール１２１を設置し、当該レール１２１の上に一つの滑り、合わせるキーボードパレット１２２を設置し、図１０、１１に示すように、当該キーボードパレット１２２の上にパソコンキーボードとマウスをおくことができるが、机のパネル３の上に設置されるパソコン（図で表示されない）の操作に便宜を与える。
但し、使用者が仕事するとき、大きな引出し１を机のパネル３の下に押し込んで、アーム・サポート・ボードを机のパネルと連結する必要がない。
その他の構造は第一実施例と同じで、ここで、説明を省略する。
【実施例６】
【００１７】
本発明第六実施例：
二つの小さな引出し１ａ、一つの支持フレーム２、一枚の机のパネル３と二枚のアーム・サポート・ボード４ａ、４ｂから構成される。
【００１８】
図１２〜１４に示すように、その内、二つの小さな引出し１ａは支持フレーム２に支持される机のパネル３の下にあり、しかも座る使用者の左、右側にあり、当該二つの小さな引出し１ａはそれぞれ机のパネル３の下に設置される縦レールの上図で表示されない）に位置するので、向こうの座る使用者に前後に推し、引くことができる。
二つの小さな引出し１ａは、すべて一枚の引出しパネル１１ａ、２枚の引出し側板１２ａ、一枚の引出し裏板１３ａと一枚の引出し底板１４ａから構成されるため、使用者が仕事するとき、簡便に書類、道具などを保管し、取り出すことができる。
上記はすべて従来の技術である。
【００１９】
左アーム・サポート・ボード４ａはパネルの左の側辺は直立側辺で、前、後の辺はそれぞれ短い横辺と長辺、右の側辺は内凹状アーク形辺から構成される。
それに対して、右アーム・サポート・ボード４ｂはパネルの右の側辺は直立側辺で、前、後の辺はそれぞれ短い横辺と長辺、左の側辺は内凹状アーク形辺から構成される。
当該左アーム・サポート・ボード４ａと右アーム・サポート・ボード４ｂは、その内凹状アーク形辺で相対に凹状を形成して、しかも、それぞれその直立側面で蝶番（普通な蝶番、平らな蝶番、曲り蝶番）で左、右の小さな引出し１ａの向かい合う内側の引出し側板１２ａの内面の頂部に連結される。
使用者が仕事しないとき、当該左アーム・サポート・ボード４ａと右アーム・サポート・ボード４ｂはそれぞれ左、右の小さな引出し１ａの中に格納され、その上のパネルは引出し側板１２ａの頂面と同じ高さで、この場合、蝶番の二つの羽は合わせる（即ち、その開先角度は約０°）。
使用者が仕事するとき、まず、両小さな引出し１ａを引き、左、右アーム・サポート・ボード４ａ、４ｂをそれぞれ蝶番のピントルを回し上に１８０°反転する。
この場合、左アーム・サポート・ボード４ａと右アーム・サポート・ボード４ｂの一つのパネルは対応の引出し側板１２ａの頂面に接し、それを支持し、蝶番の二つの羽はすべて開かれる（即ち、その開先角度は約１８０°）。
それから、アーム・サポート・ボードを机のパネルに合わせるまで、小さな引出し１ａを机のパネル３の下に押し込むようにする。
この場合、アーム・サポート・ボードは、机のパネルと同じ高さ、または机のパネルよりちょっと高い。
アーム・サポート・ボードの動作位置での安定性を保持し、アーム・サポート・ボードと机のパネルと離れないように、アーム・サポート・ボード、小きな引出し、書き物机の間に、プラグ、位置決めフック、マグネットキャッチ、レールでのさら出等の位置決め装置を取り付けることができる。
使用者は、両肘と前腕が左、右アーム・サポート・ボード４ａ、４ｂの上に支えられ、それによる圧力と反転力モーメントは蝶番と引出し側板１２ａの頂面に受けられるため、支持が安定で、信頼できる。
使用者が仕事をやめるとき、左、右アーム・サポート・ボード４ａ、４ｂを上記と反対方向へ１８０°反転し、それを小さな引出し１ａに入るようにして，小さな引出し１ａを机のパネル３の下に押し込む。
こうして、左、右アーム・サポート・ボード４ａ、４ｂの反転は大きな引出し１の下のスペースを占用しない。
【実施例７】
【００２０】
本発明第七実施例：
左アーム・サポート・ボード４ａと右アーム・サポート・ボード４ｂの直立側辺のパネルの上にそれぞれ一本縦目板６と連結し、図１５、１６に示すように、当該縦目板６の厚さで机のパネル３と左、右アーム・サポート・ボード４ａ、４ｂとの高さを調節する。
机のパネル３を左、右アーム・サポート・ボード４ａ、４ｂと適当な高度差を形成することによって、使用者の腕を楽にさせる。
その他の構造は第六実施例と同じで、ここで、説明を省略する。
【実施例８】
【００２１】
本発明第八実施例：
一つの引出し１ｃ、一つの支持フレーム２ｃ、一枚の机のパネル３ｃ、一枚のアーム・サポート・ボード４ｃと一枚の可動敷板５ｃから構成され、図１７〜２０に示すようである。
【００２２】
その内、引出し１ｃは支持フレーム２ｃに支持される机のパネル３ｃの下にあり、座る使用者に向かい合い、しかも、当該大きな引出し１ｃは机のパネル３ｃの下に設置される縦レールの上（図で表示されない）に位置するので、向こうの座る使用者に前後に推し、引くことができる。
大きな引出し１ｃは一枚の引出しパネル１１ｃ、２枚の引出し側板、一枚の引出し裏板と一枚の引出し底板から構成されるため、使用者が仕事するとき、簡便に書類、道具などを保管し、取り出すことができる。
上記はすべて従来の技術である。
【００２３】
アーム・サポート・ボード４ｃはパネルの左、右側が直立側辺、前辺が分けられる二つの短い横辺、後の辺が一本の長辺、真ん中部分が内凹状アーク形辺から構成されて、しかも、当該アーム・サポート・ボード４ｃは長辺の側面で蝶番（普通な蝶番、平らな蝶番、曲り蝶番）で引出し１ｃの引出しパネル１１ｃの内面の頂部に連結される。
使用者が仕事しないとき、当該アーム・サポート・ボード４ｃは引出し１ｃの中に格納され、その上のパネルは引出しパネル１１ｃの頂面と同じ高さで、この場合、蝶番の二つの羽は合わせる（即ち、その開先角度は約０°）。
使用者が仕事するとき、まず、引出し１ｃを引き、アーム・サポート・ボードを開き、即ち、アーム・サポート・ボード４ｃを蝶番のピントルを回し上に１８０°反転する。
この場合、アーム・サポート・ボード４ｃの一つのパネルは引出しパネル１１ｃの頂面に接し、それを支持し、蝶番の二つの羽はすべて開かれる（即ち、その開先角度は約１８０°）。
それから、アーム・サポート・ボード４ｃを机のパネル３ｃに合わせるまで、引出し１ｃを机のパネル３ｃの下に押し込むようにする。
この場合、アーム・サポート・ボード４ｃの上表面と机のパネル３ｃ上表面と同じ高さ、または机のパネル３ｃ上表面よりちょっと高い。
この場合、机は書き物机にも使われる。
アーム・サポート・ボード４ｃの動作位置での安定性を保持し、アーム・サポート・ボードと机のパネルと離れないように、アーム・サポート・ボード、引出し、書き物テーブルの間に、プラグ、位置決めフック、マグネットキャッチ、レールでのさら出等の位置決め装置を取り付けることができる。
使用者は、両肘と前腕がアーム・サポート・ボード４ｃの上に支えされ、それによる圧力と反転力モーメントは蝶番と引出しパネル１１ｃの頂面に受けられるため、支持が安定で、信頼できる。
使用者が仕事をやめるとき、アーム・サポート・ボード４ｃを上記と反対方向へ１８０°反転し、それを引出し１ｃ内に入るようにして、引出し１ｃを机のパネル３ｃの下に押し込む。
こうして、アーム・サポート・ボード４ｃの反転は引出し１ｃの下のスペースを占用しない。
【００２４】
可動敷板５ｃは、アーム・サポート・ボード４ｃと形が同じの板で、取外す可能な連結部品（例えば、磁石、ピンとスナップ等）でアーム・サポート・ボード４ｃの上表面に連結されて（即ち、アーム・サポート・ボード４ｃは引出しパネル１１ｃ頂面の上表面に支持される）、しかも、当該可動敷板５ｃの上表面を机のパネル３ｃの上におかれるパソコンキーボード６ｃの上表面の高さと同じ、またはそれより高くさせる。
この場合、机は書き物机にも使われて、使用者は、両肘と前腕がアーム・サポート・ボード４ｃの上の可動敷板５ｃの上に支持され、パソコンキーボード６ｃを操作するとき、腕の上がりを要しない。
勿論、書類を読み、書くとき、簡便に可動敷板５ｃを取外すことができる。
使用者は、両肘と前腕が直接にアーム・サポート・ボード４ｃの上に支持される。
こうして、一台の机はパソコンデスクと書き物テーブルとして、兼用することができる。
【実施例９】
【００２５】
本発明第九実施例：
引出し１ｃの２枚の引出し側板の頂面に一つのキーボードパレット１２ｃ（キーボードパレット１２ｃは、２枚の引出し側板の内面の上の平行に設置される一対のレールの上にも支持される）を支持し、当該キーボードパレット１２ｃの上にパソコンキーボード６ｃとマウス（マウスマット付け）及び腕マットを設置する。
それらは、引出しの中に前、後にプッシュプル可能な引出し１ｃを引き、アーム・サポート・ボード４ｃを開き、この場合、アーム・サポート・ボード４ｃの上表面はパソコンキーボード６ｃの上表面の高さと同じ、またはそれよりちょっと高い。
しかも、その高さはすべて机のパネル３Ｃの下表面より低い。
この場合、机は書き物机にも使われる。
使用者は、両肘と前腕がアーム・サポート・ボード４ｃの上に支持され、パソコンキーボード６ｃを操作するとき、腕の上がりを要しない。
書類を読み、書くとき、簡便に可動敷板５ｃを取り付けることができる。
それから、可動敷板５ｃを机のパネル３ｃに合わせるまで、引出し１ｃを机のパネル３ｃの下に押し込むようにする。
この場合、当該可動敷板５ｃの上表面と机のパネル３ｃ上表面と同じ高さ、または机のパネル３ｃ上表面よりちょっと高い。
この場合、机は書き物机にも使われる。
使用者は、両肘と前腕が可動敷板５ｃの上に支持される。図２１、２２に示すようである。
その他の構造は第八実施例と同じで、ここで、説明を省略する。
【実施例１０】
【００２６】
本発明第十実施例：
一つの引出し１ｄ、一つの支持フレーム２ｄ、一枚の机のパネル３ｄ、一枚のアーム・サポート・ボード４ｄと一枚の楔形ブロック５ｄ構成される。
図２３〜２６に示すようである。
【００２７】
その内、引出し１ｄは支持フレーム２ｄに支持される机のパネル３ｄの下にあり、座る使用者に向かい合い、しかも、当該引出し１ｄは机のパネル３ｄの下に設置される縦レールの上（図で表示されない）に位置するので、向こうの座る使用者に前後に推し、引くことができる。
机のパネル３ｄは支持フレーム２ｄの後ろの伸縮、または折り畳み可能な支持フレームに支持され、机のパネル３ｄを水平、傾斜の二つの状態にさせる。
使用者が仕事するとき、書類、道具等の保管、取出しを簡便にさせるように引出し１ｄを設け、その前は、一枚の引出しパネル１１ｄを設置する。
上記はすべて従来の技術である。当該引出しパネル１１ｄの頂面は先端が下へＫ°を傾斜する斜め頂面（約１２°または２４°）である。
【００２８】
アーム・サポート・ボード４ｄはパネルの左、右側が直立側辺、前辺が分けられる二つの短い横辺、後辺が一本の長辺、真ん中部分が内凹状アーク形辺から構成されて、しかも、当該アーム・サポート・ボード４ｄは長辺の側面で蝶番（普通な蝶番、平らな蝶番、曲り蝶番）で引出し１ｄの引出しパネル１１ｄの内面の頂部に連結される。
使用者が仕事しないとき、当該アーム・サポート・ボード４ｄは引出し１ｄの中に格納される。
この場合、蝶番の二つの羽は合わせる（即ち、その開先角度は約０°）。
【００２９】
使用者が閲覧し、図面を作成するとき、机のパネル３ｄとアーム・サポート・ボード４ｄを傾斜の状態に調整し、まず、引出し１ｄを引き、アーム・サポート・ボードを開き、即ち、アーム・サポート・ボード４ｄを蝶番のピントルを回し上に反転（１８０°＋Ｋ°）する。
この場合、アーム・サポート・ボード４ｄの一つのパネルは引出しパネル１１ｄの斜め頂面に接し、それを支持し、アーム・サポート・ボードを机のパネルに合わせるまで、引出し１ｄを机のパネル３ｄの下に押し込むようにする。
この場合、アーム・サポート・ボード４ｄは机のパネル３ｄと傾斜の状態が大体一致で、しかも、アーム・サポート・ボードの接触面と机のパネルの同じ高さ、またはそれよりちょっと高い。
そこで、使用者は、両肘と前腕がアーム・サポート・ボード４ｄの上に支えされ、閲覧、図面作成が簡便となる。
使用者が仕事をやめるとき、アーム・サポート・ボード４ｄを上記と反対方向へ反転し、それを引出し１ｄ内に入るようにして、引出し１ｄを机のパネル３ｄの下に押し込む。
こうして、アーム・サポート・ボード４ｄの反転は引出し１ｄの下のスペースを占用しない。
【００３０】
楔形ブロック５ｄは一つの鋭角Ｋ°（約１２°または２４°）の直三角柱で、滑りレール（または、アーム・サポート・ボード４ｄパネルの旋転軸と垂直となる）でアーム・サポート・ボード４ｄの裏面に連結され、楔形ブロック５ｄのゆるめを防止するように、アーム・サポート・ボード４ｄの裏面にまた１シリーズの弾性位置決めピン６ｄを設置し、それはボールと圧縮ばねから構成される。
【００３１】
使用者が書き物をし、パソコンキーボードとマウスを操作するとき、机のパネル３ｄとアーム・サポート・ボード４ｄを平らな状態に調整し、手でアーム・サポート・ボード４ｄを上げ、楔形ブロック５ｄ（または垂直旋転軸を回す）をアーム・サポート・ボード４ｄと引出しパネル１１ｄの斜め頂面の間に入れるように押し、アーム・サポート・ボード４ｄを机のパネル３ｄと同じ高さ、またはそれよりちょっと高い状態にさせ、弾性位置決めピン６ｄのボールが圧縮ばねの圧力で、自動的に楔形ブロック５ｄの末端に寄せ、楔形ブロック５ｄのゆるめを防止する。
【実施例１１】
【００３２】
本発明第十一実施例：
第九実施例の一つの引出し１ｃを一枚のプッシュプル板１ｅに交換し、キーボードパレットを取消す。
図２７、２８に示すように、当該プッシュプル板１ｅは支持フレーム２ｅに支持される机のパネル３ｅの下にあり、しかも座る使用者に向かい合い、また当該プッシュプル板１ｅは机のパネル３ｅの下に設置される縦レールの上図で表示されない）に位置するので、向こうの座る使用者に前後に推し、引くことができる。
プッシュプル板１ｅは、パネルが垂直となる一枚の先端板１１ｅと一枚の平らな板１２ｅから構成される。
それは、使用者が仕事するとき、パソコンキーボードとマウス（マウスマット付き）及び腕マット等を置くために設けられる。
その他は、第九実施例と同じ。
【実施例１２】
【００３３】
本発明第十二実施例：
一つの引出し１ｆ、一つの支持フレーム２ｆ、一枚の机のパネル３ｆと一枚のアーム・サポート・ボード４ｆとキーボードパレット５ｆから構成される。
図２９〜３４に示すようである。
【００３４】
その内、引出し１ｆは支持フレーム２ｆに支持される机のパネル３ｆの下にあり、しかも座る使用者に向かい合い、また当該引出し１ｆは机のパネル３ｆの下に設置される縦レールの上図で表示されない）に位置するので、向こうの座る使用者に前後に推し、引くことができる。
引出し１ｆは一枚の引出しパネル１１ｆ、２枚の引出し側板１２ｆ、一枚の引出し裏板１３ｆと一枚の引出し底板１４ｆから構成される。
それは、使用者が仕事するとき、使用者が仕事するとき、書類、道具等の保管、取出しに簡便を与える。
また、２枚の引出し側板１２ｆの内面とともに一本の目板を定着することができる。
上記はすべて従来の技術である。
【００３５】
アーム・サポート・ボード４ｆはパネルの左、右側が直立側辺、前辺が分けられる二つの短い横辺、後辺が一本の長辺、真ん中部分が内凹状アーク形辺から構成される。
アーム・サポート・ボードの左側と右側は対称に配置して、または、右側の幅が左側より広くさせるように設けられる。
それは、主に右手操作の人に対応する。
左手操作の人については、それと反対に配置することができる。
当該アーム・サポート・ボード４ｆ長辺の側面に蝶番（普通な蝶番、平らな蝶番、曲り蝶番）で引出し１ｆの引出しパネル１１ｆの内面の頂部に連結される。
使用者が仕事しないとき、当該アーム・サポート・ボード４ｆは大きな引出し１ｆの中に格納され、その上のパネルは引出しパネル１１ｆの頂面と同じ高さである。
この場合、蝶番の二つの羽は合わせる（即ち、その開先角度は約０°）。
使用者が仕事するとき、まず、引出し１ｆを引き、アーム・サポート・ボードを開き、即ち、アーム・サポート・ボード４ｆを蝶番のピントルを回し上に１８０°反転する。
それから、アーム・サポート・ボード４ｆを机のパネル３ｆに合わせるまで、引出し１ｆを机のパネル３ｆの下に押し込むようにする。
この場合、アーム・サポート・ボードは机のパネルの高さと同じであるか、または机のパネルよりちょっと高い。
この場合、机は書き物机にも使われる。
アーム・サポート・ボード４ｃの動作位置での安定性を保持し、アーム・サポート・ボードと机のパネルと離れないように、アーム・サポート・ボード、引出し、書き物机の間に、プラグ、位置決めフック、マグネットキャッチ、レールでのさら出等の位置決め装置を取り付けることができる。
使用者は、両肘と前腕がアーム・サポート・ボード４ｆの上に支えされ、それによる圧力と反転力モーメントは蝶番と引出しパネル１１ｆの頂面に受けられるため、支持が安定で、信頼できる。
使用者が仕事をやめるとき、アーム・サポート・ボード４ｃを上記と反対方向へ１８０°反転し、それを引出し１ｆ内に入るようにして、引出し１ｆを机のパネル３ｆの下に押し込む。
こうして、アーム・サポート・ボード４ｆの反転は引出し１ｆの下のスペースを占用しない。
【００３６】
キーボードパレット５ｆは上表面は横が長辺である長方形の溝を付けるパレット（溝はキーボード、腕マット、右側の上表面はマウスを置くことに使われる）で、当該キーボードパレット５ｆの外底面の左側に一本の縦仕切り板５１ｆを定着し、その右側に一枚の取外し可能な板５２ｆを設置する。
当該取外し可能な板５２ｆ  の上に二つの横向溝穴５２１ｆを設け、また当該二つの横向溝穴５２１ｆの真ん中に一枚の縦向の下に延出される仕切り板５２２ｆを連結し、ボルトで当該取外し可能な板５２ｆをキーボードパレット５ｆの外底面に連結し、当該キーボードパレット５ｆは、縦仕切り板５１ｆ、下へ延出される仕切り板５２２ｆ（ボルトは横溝穴５２１ｆの左端に連結される場合）で引出し１ｆの２枚の引出し側板１２ｆの内側に寄せ、当該キーボードパレット５ｆの外底面で引出し１ｆの２枚の引出し側板１２ｆの頂面に支持される（当該キーボードパレット５ｆの外底面で引出し１ｆの２枚の引出し側板１２ｆの内面の上の目板の上に支持されることもできる）。
当該キーボードパレット５ｆ内に置かれるパソコンキーボードの各キーの高さをアーム・サポート・ボード４ｆの上面の高さとを同じにさせて、または大体に同じようにさせる。
マウスに置かれるキーボードパレットの上表面とアーム・サポート・ボード４ｆの上面の高さとを同じにさせて、または大体に同じようにさせる。
この場合、机はパソコンデスクにも使われる。
図３２に示すように、操作者は、腕を上げてキーを操作することを要しない。
キーボード、マウスを使わずに、ボルトを横溝穴の５２１ｆ右端に連結される。
この場合、当該キーボードパレット５ｆを直接に引出し１ｆ内の引出し底板１４ｆの上に入ったようにして、図３１に示すようである。
キーボードパレットの溝にノートパソコンも置かれる。
【００３７】
本発明は、引出しとアーム・サポート・ボードと連結する書き物机に関する。
机のパネルの下にプッシュプル可大きな引出しを設置し、大きな引出しの引出しパネル内面の頂部にその長辺の側面と蝶番で連結されるアーム・サポート・ボードを設置して、または机のパネルの下の左、右側にそれぞれプッシュプル可小さな引出しを設置し、左、右にある小さな引出しの向こうの引出しの側板の内面の頂部にそれぞれ内凹状アーク形辺が向き合い、蝶番で連結される左アーム・サポート・ボードと右アーム・サポート・ボードを設置する。
そこで、アーム・サポート・ボードの反転は引出しの下のスペースを占用しないとともに、使用者は、一台の机で両肘と前腕がアーム・サポート・ボードの上または可動敷板の上に支えられ、簡便にパソコンキーボードを操作したり、書類を閲覧したり、書いたりすることができる。
しかも、必要に応じて、アーム・サポート・ボードを平らな机のパネルと傾斜の机のパネルに合わせさせることができる。
しかも、その構造も簡単で、操作も便利である。
【図面の簡単な説明】
【００３８】
【図１】本発明の第一実施例を示す局部側断面見取図である。
【図２】本発明の第一実施例を示すアーム・サポート・ボードを使わない状態の見取図である。
【図３】本発明の第一実施例を示すアーム・サポート・ボードを使う状態の見取図である。
【図４】本発明の第二実施例を示すアーム・サポート・ボードを使わない状態の見取図である。
【図５】本発明の第二実施例を示すアーム・サポート・ボードを使う状態の見取図である。
【図６】本発明の第三実施例を示すアーム・サポート・ボードを使わない状態の見取図である。
【図７】本発明の第三実施例を示すアーム・サポート・ボードを使う状態の見取図である。
【図８】本発明の第四実施例を示すアーム・サポート・ボードを使わない状態の見取図である。
【図９】本発明の第四実施例を示すアーム・サポート・ボードを使う状態の見取図である。
【図１０】本発明の第五実施例を示すアーム・サポート・ボードを使わない状態の見取図である。
【図１１】本発明の第五実施例を示すアーム・サポート・ボードを使う状態の見取図である。
【図１２】本発明の第六実施例を示す局部側断面見取図である。
【図１３】本発明の第六実施例を示すアーム・サポート・ボードを使わない状態の見取図である。
【図１４】本発明の第六実施例を示すアーム・サポート・ボードを使う状態の見取図である。
【図１５】本発明の第七実施例を示すアーム・サポート・ボードを使わない状態の見取図である。
【図１６】本発明の第七実施例を示すアーム・サポート・ボードを使う状態の見取図である。
【図１７】本発明の第八実施例を示すパソコンキーボード操作状態の見取図である。
【図１８】本発明の第八実施例を示す書類の閲覧、作成状態の見取図である。
【図１９】本発明の第八実施例を示すアーム・サポート・ボードを使う状態の平らな見取図である。
【図２０】本発明の第八実施例を示すアーム・サポート・ボードを使わない状態の見取図である。
【図２１】本発明の第九実施例を示すパソコンキーボード操作状態の見取図である。
【図２２】本発明の第九実施例を示す書類閲覧、書き状態の見取図である。
【図２３】本発明の第十実施例を示すアーム・サポート・ボード傾斜状態の見取図である。
【図２４】本発明の第十実施例を示すアーム・サポート・ボード水平状態の見取図である。
【図２５】本発明の第十実施例を示すアーム・サポート・ボードを使わない場合の局部側断面図である。
【図２６】本発明の第十実施例を示すアーム・サポート・ボードを使わない場合の局部水平断面図である。
【図２７】本発明の第十一実施例を示すパソコンキーボード操作状態の見取図である。
【図２８】本発明の第十一実施例を示す書類の閲覧、作成状態の見取図である。
【図２９】本発明の第十二実施例を示すアーム・サポート・ボード、キーボードパレット使用状態の側視見取図である。
【図３０】本発明の第十二実施例を示すアーム・サポート・ボード、キーボードパレット使用状態の見下ろし見取図である。
【図３１】本発明の第十二実施例を示すキーボードパレットを使わない状態の見取図である。
【図３２】本発明の第十二実施例を示すキーボードパレットを使う状態の見取図である。
【図３３】本発明の第十二実施例を示すキーボードパレット仰視の見取図である。
【図３４】本発明の第十二実施例を示すキーボードパレット正視の見取図である。
【符号の説明】
【００３９】
１  一つの大きな引出し
２  一つの支持フレーム
３  一枚の机のパネル
４  一枚のアーム・サポート・ボード
１１  一枚の引出しパネル
１２  ２枚の引出し側板
１３  一枚の引出し裏板
１４  一枚の引出し底板
【図１】
2009540883.tif 000003
【図２】
2009540883.tif 000004
【図３】
2009540883.tif 000005
【図４】
2009540883.tif 000006
【図５】
2009540883.tif 000007
【図６】
2009540883.tif 000008
【図７】
2009540883.tif 000009
【図８】
2009540883.tif 000010
【図９】
2009540883.tif 000011
【図１０】
2009540883.tif 000012
【図１１】
2009540883.tif 000013
【図１２】
2009540883.tif 000014
【図１３】
2009540883.tif 000015
【図１４】
2009540883.tif 000016
【図１５】
2009540883.tif 000017
【図１６】
2009540883.tif 000018
【図１７】
2009540883.tif 000019
【図１８】
2009540883.tif 000020
【図１９】
2009540883.tif 000021
【図２０】
2009540883.tif 000022
【図２１】
2009540883.tif 000023
【図２２】
2009540883.tif 000024
【図２３】
2009540883.tif 000025
【図２４】
2009540883.tif 000026
【図２５】
2009540883.tif 000027
【図２６】
2009540883.tif 000028
【図２７】
2009540883.tif 000029
【図２８】
2009540883.tif 000030
【図２９】
2009540883.tif 000031
【図３０】
2009540883.tif 000032
【図３１】
2009540883.tif 000033
【図３２】
2009540883.tif 000034
【図３３】
2009540883.tif 000035
【図３４】
2009540883.tif 000036
【国際調査報告】
2009540883.tif 000037
2009540883.tif 000038
2009540883.tif 000039
2009540883.tif 000040
2009540883.tif 000041
2009540883.tif 000042